(57)【特許請求の範囲】
【請求項１】
バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、
前記傾動部は、前記ナット部の周囲に直交状に設けられたコ字形のスリットであることを特徴とする自動車用灯具。
【請求項２】
バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、
前記傾動部は、前記ナット部の周囲に設けられた螺旋状のスリットであることを特徴とする自動車用灯具。
【請求項３】
バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、
前記傾動部は、前記ナット部の周囲に蛇腹状に設けられた連結片であることを特徴とする自動車用灯具。
【発明の詳細な説明】
【０００１】
【発明の属する技術分野】
本発明は、前照灯、フォグランプなどの自動車用灯具に関する。
【０００２】
【従来の技術】
前照灯やフォグランプなどの自動車用灯具では、主光軸の調整を行うエーミング調整が自動車の出荷時に行われる。このエーミング調整では、バルブを取り付けたリフレクターを傾動させて調整を行うものである。
【０００３】
図８及び図９は、このようなエーミング調整が行われる従来の自動車用灯具１を示し、車体（図示省略）側のハウジング２の内部にリフレクター３が収容されている。ハウジング２の前方は開放されており、開放された前方部分がレンズ４によって覆われている。リフレクター３にはバルブ（図示省略）が取り付けられており、その前面がバルブからの光を前方に反射する反射面５となっている。図９において、６はバルブを取り付けるためのバルブ取付孔である。
【０００４】
リフレクター３のエーミング調整を行うため、リフレクター３の傾動の支点となるピボット軸受７と、２本のアジャスタスクリュー８とが設けられている。
【０００５】
ピボット軸受７はリフレクター３の背面からハウジング２方向に突出するピボット９と、ピボット９を受けるためにハウジング２に形成された受け座１０とを備えている。ピボット９の先端部分は、球状の頭部９ａとなっており、受け座１０はこの球状の頭部９ａが当接する球面となっている。
【０００６】
２本のアジャスタスクリュー８はリフレクター３に対して対角線上に位置するように設けられる。この２本のアジャスタスクリュー８はハウジング２に設けられたねじ取付部１３をそれぞれ貫通するようにハウジング２に取り付けられ、その先端がリフレクター３に螺合する。この螺合によって、リフレクター３とハウジング２とが連結される。
【０００７】
アジャスタスクリュー８の螺合を行うため、リフレクター３の背面には、２つのステー部１１が立ち上がり状に設けられており、各ステー部１１に、エーミングナット１２が嵌合によって取り付けられる。そして、それぞれのエーミングナット１２にアジャスタスクリュー８のねじ部８ａが螺合する。
【０００８】
エーミング調整は、対角線上に位置している２本のアジャスタスクリュー８を回転操作することにより行うものであり、アジャスタスクリュー８の回転によってリフレクター３がピボット軸受７を支点として傾動するため、ハウジング２に対するリフレクター３の角度が変化する。これにより灯具の主光軸を変更することができる。
【０００９】
【発明が解決しようとする課題】
しかしながら、従来の自動車用灯具では、エーミングナット１２がリフレクター３と別体となっており、しかも、このエーミングナット１２を２箇所に配置する必要がある。このため、部品点数が多く、灯具の組付が面倒となっている。
【００１０】
又、エーミングナット１２は、一方向に対してはリフレクター３を傾動させるが、その他の方向にはリフレクター３を傾動させることがしにくい。従って、エーミングナット１２をリフレクター３に対して対角線上の２箇所に配置し、この２箇所のエーミングナット１２を回転操作する必要がある。このため、エーミング調整が面倒となっている。
【００１１】
本発明は、このような従来の問題点を考慮してなされたものであり、エーミング調整のための部品点数を減らすことができ、しかもエーミング調整を簡単に行うことができる自動車用灯具を提供することを目的とする。
【００１２】
【課題を解決するための手段】
上記目的は、本発明によれば、バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、前記傾動部は、前記ナット部の周囲に直交状に設けられたコ字形のスリットであることを特徴とする自動車用灯具により、達成される。
【００１３】
上記目的は、本発明によれば、バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、前記傾動部は、前記ナット部の周囲に設けられた螺旋状のスリットであることを特徴とする自動車用灯具により、達成される。
【００１４】
上記目的は、本発明によれば、バルブからの光を反射するリフレクターとリフレクターを収容するハウジングとが複数のアジャスタスクリューによって連結されると共に、前記リフレクターとハウジングとの間に支点部材が設けられており、前記アジャスタスクリューを回転操作することにより支点部材を支点としてハウジングに対するリフレクターの角度調整を行う自動車用灯具において、前記複数のアジャスタスクリューの内、少なくとも一のアジャスタスクリューが螺合するナット部が前記リフレクターに一体的に形成されると共に、前記一のアジャスタスクリューの回転によってリフレクターをアジャスタスクリューの軸方向と直交する面内の複数方向に傾動させる傾動部が前記ナット部の周囲に設けられ、前記傾動部は、前記ナット部の周囲に蛇腹状に設けられた連結片であることを特徴とする自動車用灯具により、達成される。
【００２０】
【発明の実施の形態】
以下、本発明の実施の形態を図面によって具体的に説明する。なお、各実施の形態において、従来の技術と同一の要素は同一の符号を付すことにより対応させて説明する。
【００２１】
図１〜図４は、本発明の一実施の形態を示し、リフレクター２１が車体側のハウジング２の内部に収容される。ハウジング２は図８に示すように、前面部分が開放されており、開放された前面部分がレンズ４によって覆われている。又、図８に示すように、ハウジング２には、アジャスタースクリュー８を貫通状態で取り付けるためのねじ取付部１３が形成されている。
【００２２】
リフレクター２１は図１に示すように、バルブ（図示省略）が取り付けられる湾曲状の本体部２２を有しており、この本体部２２の前面がバルブからの光を反射する反射面となっている。又、本体部２２の略中心部分には、バルブを取り付けるためのバルブ取付孔２３が形成されている。さらに、本体部２２の背面には、エーミング調整を行うため、支点部材としてのピボット軸受２４と、第１及び第２のステー部２５，２６とが設けられている。
【００２３】
ピボット軸受２４はリフレクター２１の本体部２２背面における一の角部分に設けられている。このピボット軸受２４は図２に示すように、本体部２２の背面に起立状に設けられた支持台部２７からハウジング２方向に突出するピボット２８と、ピボット２８を受けるためハウジング２に形成された受け座１０（図８参照）とを有している。ピボット２８の先端部分の頭部２８ａは球状となっている一方、ハウジング２側の受け座１０は球状の頭部２８ａが当接する球面となっており、これにより、ピボット軸受２４を支点としてリフレクター２１が傾動することができる。
【００２４】
第１及び第２のステー部２５，２６は、リフレクター２１の本体部２２背面における対角線上に位置するように設けられる。これらのステー部２５，２６はハウジング２方向に立ち上がり状に設けられており、ハウジング２を貫通したアジャスタスクリュー８が螺合する。この実施の形態において、第２のステー部２６は従来と同様に、エーミングナットが取り付けられるものであり、このためエーミングナットが嵌合するフック孔２９が形成されている。
【００２５】
これに対し、第１のステー部２５はエーミングナットが取り付けられるものではなく、アジャスタスクリュー８が直接に螺合する。このため、第１のステー部２５におけるハウジング２側の先端部分が受け面３０となっており、この受け面３０にナット部３１が形成されている。
【００２６】
図３は第１のステー部２５を示し、ナット部３１は受け面３０を貫通するように設けられた孔構造となっている。この場合、ナット部３１はアジャスタスクリュー８が螺合可能であれば良く、アジャスタスクリュー８をねじ込むことによってアジャスタスクリュー８が受け面３０をセルフタップして螺合する構造であっても、或いはアジャスタスクリュー８が螺合する雌ねじ孔であっても良い。
【００２７】
受け面３０におけるナット部３１の周囲には、アジャスタスクリュー８の回転によって本体部２２（すなわち、リフレクター２１）を傾動させる傾動部３２が設けられている。この実施の形態における傾動部３２は、コ字形の２つのスリット３３，３４によって構成されている。これらのスリット３３，３４は略直交するようにナット部３１の周囲に設けられている。
【００２８】
図４はこの実施の形態の傾動部３２を示し、鎖線で示すようにナット部３１の周囲では、内側のコ字形のスリット３３の右端側が受け面３０と連設している。又、外側のコ字形のスリット３４の下端側が受け面３０と連設している。これらの連設部分は、アジャスタスクリュー８を回転させて同スクリュー８を軸方向に進退させたとき、曲げ力が同時にそれぞれ作用する曲げ部３５，３６となっている。
【００２９】
このような略直交する２つのコ字形のスリット３３，３４からなる傾動部３２では、曲げ部３５，３６も略直交している。従って、アジャスタスクリュー８を回転させて進退させた場合、アジャスタスクリュー８の進退力が略直交している曲げ部３５，３６からリフレクター２１の本体部２２に作用する。このため、リフレクター２１をアジャスタスクリュー８の軸方向と直交する面内における上下方向及び左右方向の２方向に簡単に傾動させることができ、その中間の角度にも曲げ易くしこの傾動によってハウジング２に対するリフレクター２１の角度調整を行うことができる。
【００３０】
このような構造では、ナット部での傾動が２方向には容易に、又その中間方向でも比較的容易に出来るので、エーミング調整を簡単に行うことができる。又、第１のステー部２５側ではアジャスタスクリュー８が螺合するナット部３１がリフレクター２１と一体的に形成されているため、エーミングナットが不要となる。このため、部品点数が少なくなって灯具の組立を簡単に行うことができる。
【００３１】
なお、この実施の形態において、リフレクター２１はポリエーテルイミド（ＰＥＩ）、ナイロンなどのポリアミド（ＰＡ）或いはポリカーボネート（ＰＣ）等の熱可塑性樹脂によって成形されるものであり、ナット部３１もリフレクター２１と一体となって成形される。このため、リフレクター２１に対してナット部３１を簡単に形成することが可能となっている。
【００３２】
又、以上説明したように、この第２のステー部２６に対して、第１のステー部２５と同様なナット部３１及び傾動部３２を設けることにより、第２のステー部２６にエーミング調整機能を付与しても良い。
【００３３】
図５は本発明の別の実施の形態を示す。この実施の形態では、第１のステー部２５の受け面３０に螺旋状の２条のスリット３７，３８が設けられている。それぞれの螺旋状のスリット３７，３８は、受け面３０の中央部分に設けたナット部３１に近接した位置を始端とし、受け面３０の外側に向かうにつれて外側に膨らむように設けられている。
【００３４】
この２条の螺旋状のスリット３７，３８の間が、アジャスタスクリュー８の進退によって曲げられる曲げ部３９，４０となっている。この曲げ部３９，４０はナット部３１の周囲に設けられており、アジャスタスクリュー８を進退させることによる曲げ力が上下方向及び左右方向に作用する。従って、この実施の形態においても、ナット部３１に螺合しているアジャスタスクリュー８を回転操作するだけでリフレクター２１のエーミングを調整でき、エーミング調整を簡単に行うことができる。
【００３５】
図６はさらに別の実施の形態を示し、ナット部３１が筒状となっている。又、第１のステー部２５の受け面３０には、矩形状の開口部４１が中央部分に形成されており、この開口部４１内に筒状のナット部３１が挿入されている。さらに、筒状のナット部３１の上下及び左右部分は複数（４つ）の連結片４２を介して受け面３０と連結されている。複数の連結片４２のそれぞれは、肉薄の蛇腹状となっており、比較的容易に撓むことが可能となっている。
【００３６】
このような構造において、筒状のナット部３１に螺合したアジャスタスクリュー８を回転操作して進退させると、ナット部３１の周囲に設けられた蛇腹状の連結片４２に曲げ力が作用する。蛇腹状の連結片４２はナット部３１の上下方向及び左右方向に設けられているため、リフレクター２１を上下方向及び左右方向に傾動させることができる。従って、この実施の形態においても、エーミング調整を簡単に行うことができる。
【００３７】
図７は支点部材の別の形態を示している。この形態では、支持台部２７の先端側にピボット受け座４４が設けられている、ピボット受け座４４は凹球面となって窪んでおり、ハウジング２からの球状のピボット（図示省略）が当接することができる。これにより、リフレクター２１を傾動させる際の支点となることができる。
【００３８】
【発明の効果】
以上説明したように、本発明によれば、アジャスタスクリューが螺合するナット部をリフレクターに一体的に形成するため、部品点数を減じることができ、組立を簡単に行うことができる。又、ナット部の周囲の傾動部が、リフレクターを２方向に傾動させるように作用するため、その中間方向にも比較的容易に傾動しエーミング調整を簡単に行うことができる。
【００３９】
また、本発明によれば、コ字形のスリットを直交状に設けるため、リフレクターを直交する２方向に簡単に傾動させることができ、エーミング調整を簡単に行うことができる。
【００４０】
また、本発明によれば、螺旋状のスリットがリフレクターを略直交する２方向に傾動させるため、その中間方向にも比較的容易に傾動しエーミング調整を簡単に行うことができる。
【００４１】
また、本発明によれば、蛇腹状の連結片をナット部の周囲に設けるため、リフレクターを略直交する２方向に傾動させることができ、その中間方向にも比較的容易に傾動しエーミング調整を簡単に行うことができる。
【図面の簡単な説明】
【図１】本発明の一実施の形態におけるリフレクターの背面からの斜視図である。
【図２】支点部材の斜視図である。
【図３】第１のステー部材の斜視図である。
【図４】（ａ）は第１のステー部材の正面図、（ｂ）はその縦断面図である。
【図５】本発明の別の実施の形態における傾動部を示す正面図である。
【図６】本発明のさらに別の実施の形態を示し、（ａ）はその傾動部の正面図、（ｂ）は（ａ）の縦断面図である。
【図７】支点部材の別の形態の斜視図である。
【図８】従来の自動車用灯具の断面図である。
【図９】従来の自動車用灯具に用いるリフレクターの背面からの斜視図である。
【符号の説明】
２  ハウジング
８  アジャスタスクリュー
２１  リフレクター
２４  ピボット軸受
２５  第１のステー部材
３１  ナット部
３２  傾動部
３３  ３４  コ字形のスリット
３５  ３６  曲げ部
【図１】
0004284402.tif 000002
【図２】
0004284402.tif 000003
【図３】
0004284402.tif 000004
【図４】
0004284402.tif 000005
【図５】
0004284402.tif 000006
【図６】
0004284402.tif 000007
【図７】
0004284402.tif 000008
【図８】
0004284402.tif 000009
【図９】
0004284402.tif 000010